(57)【要約】  【課題】従来の冷凍冷蔵庫の霜取り制御装置では、冷却システムの劣化や冷媒漏れ等により冷却器の霜が付かなかった時でも、正常な冷却サイクルの時と同じ霜取り制御を行ってしまうので、冷蔵庫庫内が霜取り制御により温度上昇し食品に悪影響を与えるという課題を有していた。  【解決手段】霜取りヒータの通電時間カウンタ１４と、第１通電時間判定手段１７を備え、霜取り制御中の霜取りヒータ通電時間が設定時間（例えば１０分）以下であれば、次の霜取り制御は前記冷却サイクルが２回動作後に入る制御にすることができるものである。【選択図】図１
2006336965.tif 000002
【特許請求の範囲】
【請求項１】
冷凍冷蔵庫において、コンプレッサを運転するコンプレッサ運転手段と、前記コンプレッサの動作時間を積算する運転タイマと、前記運転タイマの積算時間を設定時間以上であるかを判定するコンプレッサ動作時間判定手段と、霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する第１通電時間判定手段を備え、前記コンプレッサ動作時間判定手段が前記運転タイマの積算時間が設定時間に到達しているかどうかを判定し、到達していれば前記コンプレッサを停止し冷却サイクルが終了する。次に、霜取り制御に入り前記霜取りヒータ駆動手段が霜取りヒータを通電する。前記温度判定手段が前記冷却器温度検知手段の温度が設定温度以上になれば前記霜取りヒータが停止し霜取り制御が終了する。この冷却サイクルと霜取り制御を繰り返えす。しかし、前記第１通電時間判定手段で前記霜取りヒータの通電時間をカウントする前記通電時間カウンタの時間が設定時間以下であれば、次回の霜取り制御は前記冷却サイクルが２回動作後に入る冷蔵庫の霜取り制御装置。
【請求項２】
ドア開閉検知手段とドア開閉判定手段を備え、霜取り制御前のコンプレッサ運転中にドア開閉があれば前記第１通電時間判定手段の所定時間を長く設定する制御とした請求項１に記載の冷蔵庫の霜取り制御装置。
【請求項３】
外気温度検知手段と外気温度判定手段を備え、霜取り制御前の外気温度が所定温度以上であれば、前記第１通電時間判定手段の所定時間を長くする制御とした請求項２に記載の冷蔵庫の霜取り制御装置。
【請求項４】
前記通電時間カウンタが設定時間以上であるかを判定する第２通電時間判定手段を備え、前記第１通電時間判定手段で設定時間以下あれば第２通電時間判定手段に進み、設定時間以下であれば、前記運転タイマが３回動作後に霜取り動作が入る制御とした請求項１に記載の冷蔵庫の霜取り制御装置。
【発明の詳細な説明】
【技術分野】
【０００１】
本発明は冷蔵庫の霜取り制御に関するものである。
【背景技術】
【０００２】
従来、冷蔵庫の霜取り制御は、コンプレッサと冷却器により各室を冷却し、コンプレッサの運転が停止した後に霜取りヒータが通電し冷却器に付着した霜を取り除くものである（例えば、特許文献１参照）。
【０００３】
以下、図面を参照しながら上記従来の冷蔵庫の霜取り制御を説明する。
【０００４】
図９は、従来の冷蔵庫の霜取り制御装置のブロック図である。図１０は、従来の冷蔵庫の霜取り制御装置のフローチャートである。
【０００５】
図９に示すように、冷蔵庫本体１にある冷凍室２は、断熱壁３と冷凍室ドア４で区画形成されている。冷凍室ドア４は、ヒンジ５により冷蔵庫本体１に固定されている。６はコンプレッサで７は冷却器である。８は霜取りヒータで９は冷却器７の温度を感知する冷却器温度検知器である。１０はコンプレッサ６を駆動するコンプレッサ運転手段であり、１１は前記コンプレッサの運転時間を積算する運転タイマである。１２はコンプレッサ動作時間判定手段であり、運転タイマ１１の時間が設定時間（例えば８時間）になればタイムアップする。１３は霜取りヒータ８を駆動する霜取りヒータ駆動手段であり、１４は冷却器温度検知器９で感知した温度を検知する冷却器温度検知手段である。１５は冷却器温度検知手段１４で検知した温度が設定温度（例えば１０℃）以上かどうかを判定する温度判定手段から構成されている。
【０００６】
以上のように構成された冷蔵庫の霜取り制御装置について、以下その動作を説明する。
【０００７】
まず、ステップ１でコンプレッサ運転手段１０がコンプレッサ６を駆動し、ステップ２で運転タイマ１１がスタートする。次に、ステップ３でコンプレッサ動作時間判定手段１２が運転タイマ１１のタイムアップ（例えば８時間）を判断し、タイムアップすればステップ４に進む。ステップ４でコンプレッサ６が停止となり冷却サイクルが終了する。ステップ５で霜取りヒータ駆動手段１３が霜取りヒータ８を通電し霜取り制御に入る。次に、ステップ６では冷却器温度検知手段１４の検知した温度が設定温度（例えば１０℃）以上になれば、ステップ７に進み霜取りヒータ８の通電をストップし、ステップ１に戻る。冷蔵庫はこの冷凍サイクルと霜取り制御を繰り返し行っている。
【特許文献１】特公平２−５３７０７号公報
【発明の開示】
【発明が解決しようとする課題】
【０００８】
しかしながら、上記従来の構成では、冷却システムの劣化や冷媒漏れ等により冷却器の霜が付かなかった時でも、正常な冷却サイクルの時と同じ霜取り制御を行ってしまうので、冷蔵庫庫内が霜取り制御により温度上昇し食品に悪影響を与えるという課題を有していた。
【０００９】
本発明は上記従来の課題を解決するもので、冷却システムの劣化や冷媒漏れ等により冷却器の霜が付かなかった時には、霜取り制御を延期し冷蔵庫庫内の温度上昇を抑え食品に悪影響を与えない冷蔵庫を提供することを目的とする。
【課題を解決するための手段】
【００１０】
上記従来の課題を解決するために、本発明の冷蔵庫の霜取り制御装置は、霜取り制御時間が短時間（例えば１０分）以下で終了すれば冷却器に付いた霜が極端に少ないと判断し、次の霜取り制御は冷却サイクルが２回動作後に入る制御としたものである。
【００１１】
これによって、冷却システムの劣化や冷媒漏れ等により冷却器の霜が付かなかった時には、霜取り制御を延期し冷蔵庫庫内の温度上昇を抑え食品に悪影響を与えない冷蔵庫を提供することとなる。
【発明の効果】
【００１２】
本発明の冷蔵庫の霜取り制御装置は、霜取り制御時間が短時間（例えば１０分）以下で終了すれば、冷却システムの劣化や冷媒の漏れ等が発生して前記冷却器に付いた霜が極端に少ないと判断し、次の霜取り制御は前記冷却サイクルが２回動作後に入り冷蔵庫庫内の温度上昇を抑え食品に悪影響を与えない制御にすることができる。
【発明を実施するための最良の形態】
【００１３】
請求項１に記載の発明は、コンプレッサを運転するコンプレッサ運転手段と、前記コンプレッサの動作時間を積算する運転タイマと、前記運転タイマの積算時間を設定時間以上であるかを判定するコンプレッサ動作時間判定手段と、霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する第１通電時間判定手段を備え、前記コンプレッサ動作時間判定手段が前記運転タイマの積算時間が設定時間（例えば８時間）に到達しているかどうかを判定し、到達していれば前記コンプレッサを停止し冷却サイクルが終了する。次に、霜取り制御に入り前記霜取りヒータ駆動手段が霜取りヒータを通電し、前記温度判定手段が前記冷却器温度検知手段の温度が設定温度以上（例えば１０℃）になれば前記霜取りヒータが停止し霜取り制御が終了する。この冷却サイクルと霜取り制御を繰り返えす。しかし、前記第１通電時間判定手段で前記霜取りヒータの通電時間をカウントする前記通電時間カウンタの時間が設定時間（例えば１０分）以下であれば、冷却システムの劣化や冷媒の漏れ等が発生して前記冷却器に付いた霜が極端に少ないと判断し、次回の霜取り制御は前記冷却サイクルが２回動作後に入る制御とすることにより、冷蔵庫庫内の温度上昇を抑え食品に悪影響を与えない制御にすることができる。
【００１４】
請求項２に記載の発明は、請求項１に記載の発明にドア開閉検知手段とドア開閉判定手段を備え、霜取り制御前のコンプ運転中にドア開閉があれば前記第１通電時間判定手段の所定時間を長く設定する（例えば１５分）することにより、ドア開閉により冷却器に霜が付着しても冷却システムの劣化や冷媒の漏れ等を正確に判断できるので冷蔵庫庫内の温度上昇を抑え食品に悪影響を与えない制御にすることができる。
【００１５】
請求項３に記載の発明は、請求項２に記載の発明に外気温度検知手段と外気温度判定手段を備え、霜取り制御前の外気温度が所定温度以上（例えば２５度）であれば、前記第１通電時間判定手段の所定時間を長くする（例えば２０分）することにより、高い外気温度のドア開閉により冷却器に霜が付着しても冷却システムの劣化や冷媒の漏れ等を正確に判断できるので冷蔵庫庫内の温度上昇を抑え食品に悪影響を与えない制御にすることができる。
【００１６】
請求項４に記載の発明は、請求項１に記載の発明に第２通電時間判定手段（設定時間５分）を備え、前記第１通電時間判定手段で設定時間（例えば１０分）以下あれば前記第２通電時間判定手段に進み、設定時間以下であれば、前記運転タイマが３回動作後に霜取り動作が入る制御することにより、冷蔵庫庫内の温度上昇を抑え食品に悪影響を与えない制御にすることができる。
【００１７】
以下冷蔵庫の実施の形態について、図面を参照しながら説明するが、従来例または先に説明した実施の形態と同一構成について同一符号を付して、その詳細な説明は省略する。なお、この実施の形態によってこの発明が限定されるものではない。
【００１８】
（実施の形態１）
図１は、本発明の実施の形態１における冷蔵庫の霜取り制御装置のブロック図である。図２は、本発明の実施の形態１における冷蔵庫の霜取り制御装置のフローチャートである。
【００１９】
図１において、通電時間カウンタ１６は霜取りヒータの通電時間をカウントするものであり、第１通電時間判定手段１７は通電時間カウンタ１６が設定時間以上（例えば１０分）であるかを判定するものである。
【００２０】
以上にように構成された冷蔵庫の霜取り制御装置について、以下その動作、作用を図２で説明する。
【００２１】
まず、ステップ１からステップ５まで従来通りである。つぎに、ステップ１０１で霜取りヒータ通電時間カウンタ１６がスタートしステップ６に進む。ステップ６とステップ７は従来通りで、次のステップ１０２では第１通電時間判定手段１７が第１通電時間カウンタ１６が設定時間以上（例えば１０分）であるかを判定し、設定時間以下であればステップ１０３に進み、設定時間以上であればステップ１に戻る。ステップ１０３はコンプレッサ運転手段１０がコンプレッサ６を駆動し、ステップ１０４で運転タイマ１１がスタートする。次に、ステップ１０５でコンプレッサ動作時間判定手段１２が運転タイマ１１のタイムアップ（例えば８時間）を判断し、タイムアップすればステップ１に戻る。
【００２２】
以上のように、本実施の形態においては、霜取り制御時間が短時間（例えば１０分）以下で終了すれば、冷却システムの劣化や冷媒の漏れ等が発生して冷却器に付いた霜が極端に少ないと判断し、次の霜取り制御は前記冷却サイクルが２回動作後に入る制御とすることにより、冷蔵庫庫内の温度上昇を抑え食品に悪影響を与えない制御にすることができる。
【００２３】
（実施の形態２）
図３は、本発明の実施の形態２における冷蔵庫の霜取り制御装置のブロック図である。図４は、本発明の実施の形態２における冷蔵庫の霜取り制御装置のフローチャートである。
【００２４】
図３において、ドア開閉検知器１８は冷凍室ドア４のドア開閉を感知するものであり、ドア開閉検知手段１９はドア開閉検知器１８が感知したドア開閉をカウントするものであり、ドア開閉判定手段２０は前記ドア開閉があったかどうか判定し、開閉があれば第１通電時間判定手段１７の設定時間を長く（例えば１５分）変更するものである。
【００２５】
以上にように構成された冷蔵庫の霜取り制御装置について、以下その動作、作用を図４で説明する。
【００２６】
まず、ステップ１とステップ２は従来通りである。次に、ステップ２０１で前記冷凍室ドア開閉検知手段でドア開閉をカウントしステップ３に進む。ステップ３からステップ７までは実施の形態１の通りで、次のステップ２０２でドア開閉判定手段２０がドア開閉があったかどうかを判定し、開閉があればステップ２０３で第１通電時間判定手段１７の設定時間を長く（例えば１５分）変更しステップ２０５に進み、開閉がなければステップ２０４で第１通電時間判定手段１７の設定時間を短く（例えば１０分）設定しステップ２０５に進む。ステップ２０５で第１通電時間判定手段１７が通電時間カウンタ１６が設定時間以上であるかを判定し、設定時間以下であればステップ１０３に進み、設定時間以上であればステップ１に戻り以降は実施の形態１通りである。
【００２７】
以上のように、本実施の形態においては、霜取り制御前のコンプ運転中にドア開閉があれば第１通電時間判定手段の所定時間を長く設定する（例えば１５分）することにより、ドア開閉により冷却器に霜が付着しても冷却システムの劣化や冷媒の漏れ等を正確に判断できるので冷蔵庫庫内の温度上昇を抑え食品に悪影響を与えない制御にすることができる。
【００２８】
（実施の形態３）
図５は、本発明の実施の形態３における冷蔵庫の霜取り制御装置のブロック図である。図６は、本発明の実施の形態３における冷蔵庫の霜取り制御装置のフローチャートである。
【００２９】
図５において、外気温度検知器２１は冷蔵庫１の天面にあり外気温度を感知するものであり、外気温度検知手段２２は外気温度検知器２１が感知した温度を検知するものであり、外気温度判定手段２３は、外気温度検知手段２１の温度が設定温度（例えば２５℃）以上であれば、第１通電時間判定手段１７の設定時間を長く（例えば２０分）変更するものである。
【００３０】
以上にように構成された冷蔵庫の霜取り制御装置について、以下その動作、作用を図６で説明する。
【００３１】
まず、ステップ１からステップ２０２までは実施の形態２の通りである。ステップ２０２でドア開閉があればステップ３０１に進み、ドア開閉がなければステップ２０４に進み以降実施の形態２の通りである。ステップ３０１は、外気温度判定手段２３が外気温度検手段２２で検知した温度が設定温度（例えば２５℃）以上かどうかを判断する。設定温度以上であればステップ３０２で第１通電時間判定手段１７の設定時間を長く（例えば２０分）変更しステップ２０５に進み、設定温度以下であればステップ２０３で第１通電時間判定手段１７の設定時間を（例えば１５分）に設定しステップ２０５に進む。ステップ２０５以降は実施の形態２の通りである。
【００３２】
以上のように、本実施の形態においては、高い外気温度の時で霜取り制御前のコンプ運転中にドア開閉があれば第１通電時間判定手段の所定時間を長く設定する（例えば２０分）することにより、高い外気温度のときのドア開閉により冷却器に霜が付着しても冷却システムの劣化や冷媒の漏れ等を正確に判断できるので冷蔵庫庫内の温度上昇を抑え食品に悪影響を与えない制御にすることができる。
【００３３】
（実施の形態４）
図７は、本発明の実施の形態４における冷蔵庫の霜取り制御装置のブロック図である。図８は、本発明の実施の形態４における冷蔵庫の霜取り制御装置のフローチャートである。
【００３４】
図７において、２４は第２通電時間判定手段で通電時間カウンタ１６が設定時間以上（例えば８分）であるかを判定するものである。
【００３５】
以上にように構成された冷蔵庫の霜取り制御装置について、以下その動作、作用を図８で説明する。
【００３６】
まず、ステップ１からステップ１０２まで実施の形態１の通りである。ステップ１０２で第１通電時間判定手段１７が通電時間カウンタ１６が設定時間以上（例えば１０分）であるかを判定し、設定時間以下であればステップ４０１に進み、設定時間以上であればステップ１に戻る。ステップ４０１は第２通電時間判定手段２４が霜取りヒータ通電時間カウンタ１６が設定時間以上（例えば８分）であるかを判定し、設定時間以下であればステップ４０２に進み、設定時間以上であればステップ１０３に進み以下実施の形態１の通りである。ステップ４０２はコンプレッサ運転手段１０がコンプレッサ６を駆動し、ステップ４０３で運転タイマ１１がスタートする。次に、ステップ４０４でコンプレッサ動作時間判定手段１２が運転タイマ１１のタイムアップ（例えば８時間）を判断し、タイムアップすればステップ１０３に進み以下実施の形態１の通りである。
【００３７】
以上のように、本実施の形態においては、霜取り制御時間が短時間（例えば８分）以下で終了すれば、冷却システムの劣化や冷媒の漏れ等が発生して冷却器に付いた霜が極端に少ないと判断し、次の霜取り制御は前記冷却サイクルが３回動作後に入る制御とすることにより、冷蔵庫庫内の温度上昇を抑え食品に悪影響を与えない制御にすることができる。
【産業上の利用可能性】
【００３８】
以上のように、本発明にかかる冷蔵庫の霜取り制御装置は、冷蔵庫庫内の温度上昇を抑え食品に悪影響を与えない制御にすることができるので、冷蔵庫に関わらず他の冷却機器にも適用できる。
【図面の簡単な説明】
【００３９】
【図１】本発明の実施の形態１における冷蔵庫の霜取り制御装置のブロック図
【図２】本発明の実施の形態１における冷蔵庫の霜取り制御装置のフローチャート
【図３】本発明の実施の形態２における冷蔵庫の霜取り制御装置のブロック図
【図４】本発明の実施の形態２における冷蔵庫の霜取り制御装置のフローチャート
【図５】本発明の実施の形態３における冷蔵庫の霜取り制御装置のブロック図
【図６】本発明の実施の形態３における冷蔵庫の霜取り制御装置のフローチャート
【図７】本発明の実施の形態４における冷蔵庫の霜取り制御装置のブロック図
【図８】本発明の実施の形態４における冷蔵庫の霜取り制御装置のフローチャート
【図９】従来の冷蔵庫の霜取り制御装置のブロック図
【図１０】従来の冷蔵庫の霜取り制御装置のフローチャート
【符号の説明】
【００４０】
６    コンプレッサ
８    霜取りヒータ
９    冷却器温度検知器
１０  コンプレッサ運転手段
１１  運転タイマ
１２  コンプレッサ動作時間判定手段
１３  霜取りヒータ駆動手段
１４  冷却器温度検知手段
１５  温度判定手段
１６  通電時間カウンタ
１７  第１通電時間判定手段
１９  ドア開閉検知手段
２０  ドア開閉判定手段
２２  外気温度検知手段
２３  外気温度判定手段
２４  第２通電時間判定手段
【図１】
2006336965.tif 000003
【図２】
2006336965.tif 000004
【図３】
2006336965.tif 000005
【図４】
2006336965.tif 000006
【図５】
2006336965.tif 000007
【図６】
2006336965.tif 000008
【図７】
2006336965.tif 000009
【図８】
2006336965.tif 000010
【図９】
2006336965.tif 000011
【図１０】
2006336965.tif 000012